(57)【要約】【課題】本発明は、例えばディジタルラジオ放送を受信可能な携帯電話に適用して、汎用性の高い部品を使用可能とし、従来に比してアンテナ利得の損失を低減する。【解決手段】本発明は、平行線ケーブル１０を構成する第１及び第２のケーブル１０Ａ及び１０Ｂの少なくとも第１のケーブル１０Ａに複数の芯線ケーブルＬＬ、ＬＲ、ＬＧを設け、この複数の芯線ケーブルＬＬ、ＬＲ、ＬＧを信号ＳＡＬ、ＳＡＲの伝送に割り当てると共に、本体装置４に設けられたチューナー２２のアンテナ入力端に接続し、第２のケーブル１０Ｂの外部装置側を開放端とすると共に本体装置４側端を接地する。【選択図】        図１
2010028254.tif 000002
【特許請求の範囲】
【請求項１】
外部機器との間で所望の信号を伝送し、内蔵のチューナにより放送波を受信する本体装置と、
一端が前記本体装置に接続され、他端が前記外部機器のケーブルに接続され、前記本体装置及び外部機器との間で前記信号を伝送する中継ケーブルとを有し、
前記中継ケーブルは、
第１及び第２のケーブルを一定の間隔だけ隔てて平行に配置した平行線ケーブルを有し、
少なくとも前記第１のケーブルは、
複数の芯線ケーブルを有し、
前記複数の芯線ケーブルが、前記信号の伝送に割り当てられると共に、前記チューナのアンテナ入力端に接続され、
前記第２のケーブルは、
前記第１のケーブルの前記本体装置側端から前記第１のケーブルの前記外部機器側端、又は前記第１のケーブルの前記本体装置側端から前記第１のケーブルの前記外部機器側端の途中まで、前記第１のケーブルに沿って配置され、
前記外部機器側端が高周波的に開放端とされ、
前記本体装置側端が前記本体装置で接地された
受信装置。
【請求項２】
前記外部機器がイヤホンであり、
前記信号が、前記イヤホンを駆動するオーディオ信号である
請求項１に記載の受信装置。
【請求項３】
前記中継ケーブルがコネクタにより着脱可能に前記本体装置に接続された
請求項１に記載の受信装置。
【請求項４】
前記外部機器がコネクタにより着脱可能に前記中継ケーブルに接続された
請求項１に記載の受信装置。
【請求項５】
第１及び第２のケーブルを一定の間隔だけ隔てて平行に配置した平行線ケーブルを有し、
前記平行線ケーブルの一端が本体装置に接続され、
前記平行線ケーブルの他端が外部機器のケーブルに接続され、
少なくとも前記第１のケーブルは、
複数の芯線ケーブルを有し、
前記複数の芯線ケーブルが、前記本体装置及び外部機器間の信号の伝送に割り当てられると共に、前記本体装置に設けられたチューナのアンテナ入力端に接続され、
前記第２のケーブルは、
前記第１のケーブルの前記本体装置側端から前記第１のケーブルの前記外部機器側端、又は前記第１のケーブルの前記本体装置側端から前記第１のケーブルの前記外部機器側端の途中まで、前記第１のケーブルに沿って配置され、
前記外部機器側端が高周波的に開放端とされ、
前記本体装置側端が前記本体装置で接地される
アンテナ。
【請求項６】
第１及び第２のケーブルを一定の間隔だけ隔てて平行に配置した平行線ケーブルを有し、
前記平行線ケーブルの一端がコネクタを介して本体装置に接続され、
前記平行線ケーブルの他端がコネクタを介してイヤホンのケーブルに接続され、
少なくとも前記第１のケーブルは、
複数の芯線ケーブルを有し、
前記複数の芯線ケーブルが、前記本体装置から出力されるオーディオ信号の伝送に割り当てられると共に、前記本体装置に設けられたチューナのアンテナ入力端に接続され、
前記第２のケーブルは、
前記第１のケーブルの前記本体装置側端から前記第１のケーブルの前記イヤホン側端、又は前記第１のケーブルの前記本体装置側端から前記第１のケーブルの前記イヤホン側端の途中まで、前記第１のケーブルに沿って配置され、
前記イヤホン側端が高周波的に開放端とされ、
前記本体装置側端が前記本体装置で接地される
中継ケーブル。
【発明の詳細な説明】
【技術分野】
【０００１】
本発明は、受信装置、アンテナ及び中継ケーブルに関し、例えばディジタルラジオ放送を受信可能な携帯電話に適用することができる。本発明は、平行線ケーブルを構成する第１及び第２のケーブルの少なくとも第１のケーブルに複数の芯線ケーブルを設け、この複数の芯線ケーブルを信号の伝送に割り当てると共に、本体装置に設けられたチューナーのアンテナ入力端に接続し、第２のケーブルの外部装置側を開放端とすると共に本体装置側端を接地することにより、汎用性の高い部品を使用可能とし、従来に比してアンテナ利得の損失を低減する。
【背景技術】
【０００２】
従来、テレビジョン放送等を受信可能な携帯電話は、内蔵アンテナ又は外部アンテナで放送波を受信している。ここで内蔵アンテナは、携帯電話のデザインを損なわない長所がある。しかしながら内蔵アンテナは、外部アンテナに比して感度が劣り、内部ノイズの影響を受け易い等の欠点がある。
【０００３】
これに対して外部アンテナには、ロッドアンテナ、イヤホンアンテナ等がある。ここでロッドアンテナは、内蔵アンテナに比して感度等が優れる特徴がある。しかしながらロッドアンテナは、携帯電話のデザインを損ない、さらにはアンテナが突出する等の欠点がある。
【０００４】
これに対してイヤホンアンテナは、例えば特開２００７−１０４５９１号公報等に開示されているように、イヤホンのケーブルをアンテナとして使用するものである。特開２００７−１０４５９１号公報に開示のイヤホンアンテナは、多芯同軸ケーブルによる中継ケーブルを介して、イヤホンのケーブルに誘起された高周波信号を本体装置に伝送する。イヤホンアンテナは、携帯電話のデザインを損なうことなく、感度の劣化、内部ノイズの影響を防止することができる。
【特許文献１】特開２００７−１０４５９１号公報
【発明の開示】
【発明が解決しようとする課題】
【０００５】
しかしながら特開２００７−１０４５９１号公報に開示の構成のように、多芯同軸ケーブルを用いてイヤホンのケーブルに誘起された高周波信号を本体装置に伝送する場合、同軸ケーブルが不平衡伝送路であることから、損失が発生し易い問題がある。また多芯同軸ケーブル自体、汎用性が低い問題もある。
【０００６】
本発明は以上の点を考慮してなされたもので、汎用性の高い部品を使用可能とし、従来に比してアンテナ利得の損失を低減することができる受信装置、アンテナ及び中継ケーブルを提案しようとするものである。
【課題を解決するための手段】
【０００７】
上記の課題を解決するため請求項１の発明は、外部機器との間で所望の信号を伝送し、内蔵のチューナーにより放送波を受信する本体装置と、一端が前記本体装置に接続され、他端が前記外部機器のケーブルに接続され、前記本体装置及び外部機器との間で前記信号を伝送する中継ケーブルとを有する受信装置に適用する。本願請求項１の発明は、前記中継ケーブルは、第１及び第２のケーブルを一定の間隔だけ隔てて平行に配置した平行線ケーブルを有し、少なくとも前記第１のケーブルは、複数の芯線ケーブルを有し、前記複数の芯線ケーブルが、前記信号の伝送に割り当てられると共に、前記チューナーのアンテナ入力端に接続される。また前記第２のケーブルは、前記第１のケーブルの前記本体装置側端から前記第１のケーブルの前記外部機器側端、又は前記第１のケーブルの前記本体装置側端から前記第１のケーブルの前記外部機器側端の途中まで、前記第１のケーブルに沿って配置され、前記外部機器側端が高周波的に開放端とされ、前記本体装置側端が前記本体装置で接地される。
【０００８】
また請求項５の発明は、アンテナに適用して、第１及び第２のケーブルを一定の間隔だけ隔てて平行に配置した平行線ケーブルを有し、前記平行線ケーブルの一端が本体装置に接続され、前記平行線ケーブルの他端が外部機器のケーブルに接続される。ここで少なくとも前記第１のケーブルは、複数の芯線ケーブルを有し、前記複数の芯線ケーブルが、前記本体装置及び外部機器間の信号の伝送に割り当てられると共に、前記本体装置に設けられたチューナーのアンテナ入力端に接続される。前記第２のケーブルは、前記第１のケーブルの前記本体装置側端から前記第１のケーブルの前記外部機器側端、又は前記第１のケーブルの前記本体装置側端から前記第１のケーブルの前記外部機器側端の途中まで、前記第１のケーブルに沿って配置され、前記外部機器側端が高周波的に開放端とされ、前記本体装置側端が前記本体装置で接地される。
【０００９】
また請求項６の発明は、中継ケーブルに適用して、第１及び第２のケーブルを一定の間隔だけ隔てて平行に配置した平行線ケーブルを有し、前記平行線ケーブルの一端がコネクタを介して本体装置に接続され、前記平行線ケーブルの他端がコネクタを介してイヤホンのケーブルに接続される。ここで少なくとも前記第１のケーブルは、複数の芯線ケーブルを有し、前記複数の芯線ケーブルが、前記本体装置から出力されるオーディオ信号の伝送に割り当てられると共に、前記本体装置に設けられたチューナーのアンテナ入力端に接続される。また前記第２のケーブルは、前記第１のケーブルの前記本体装置側端から前記第１のケーブルの前記イヤホン側端、又は前記第１のケーブルの前記本体装置側端から前記第１のケーブルの前記イヤホン側端の途中まで、前記第１のケーブルに沿って配置され、前記イヤホン側端が高周波的に開放端とされ、前記本体装置側端が前記本体装置で接地される。
【００１０】
請求項１、請求項５、又は請求項６の構成によれば、第１のケーブルと外部機器のケーブルとに誘起された高周波信号、又は第１のケーブルとイヤホンのケーブルとに誘起された高周波信号がチューナーに入力され、これによりこれらのケーブルがアンテナとして機能する。また第２のケーブルに誘起された高周波信号が第１のケーブルを介してチューナーに入力し、これにより第２のケーブルがアンテナとして機能する。これにより平行線ケーブルを構成する第１及び第２のケーブルをそれぞれアンテナとして機能させることができる。ここで平行線ケーブルは、多芯同軸ケーブルに比して汎用性が高いと言える。これにより従来に比して汎用性の高い部品を使用してイヤホンアンテナ等を構成することができる。またこの場合、ケーブルに誘起された高周波信号を直接チューナーのアンテナ入力端に入力していることにより、多芯同軸ケーブルにより伝送する場合に比してアンテナ利得の損失を低減することができる。
【発明の効果】
【００１１】
本発明によれば、汎用性の高い部品を使用可能とし、従来に比してアンテナ利得の損失を低減することができる。
【発明を実施するための最良の形態】
【００１２】
以下、適宜図面を参照しながら本発明の実施例を詳述する。
【実施例１】
【００１３】
（１）実施例の構成
図２は、本発明の実施例１の携帯電話システムを示す斜視図である。この携帯電話システム１は、中継ケーブル２及びイヤホン３によるイヤホンアンテナによりディジタルラジオ放送を受信する。携帯電話システム１は、中継ケーブル２を介して、本体装置である携帯電話４にイヤホン３が接続される。
【００１４】
このためイヤホン３は、ケーブル６の一端にプラグ７が配置され、ケーブル６の他端に右チャンネル用及び左チャンネル用のスピーカ８Ｒ及び８Ｌが配置される。中継ケーブル２は、ケーブル１０の一端に、イヤホン３のプラグ７を接続するジャック１１が配置され、ケーブル１０の他端に、プラグ１２が配置される。携帯電話４は、側面に、プラグ１２を接続するジャック１３が配置される。
【００１５】
図３は、イヤホン３を詳細に示す側面図である。イヤホン３は、右チャンネル用及び左チャンネル用のスピーカ８Ｒ及び８Ｌからそれぞれ延長する平行２線式ケーブルが、右チャンネル及び左チャンネルのオーディオ信号でアースを共通化した平行３線式ケーブルに接続される。イヤホン３は、この平行３線式ケーブルの他端がプラグ７の各端子７Ｒ、７Ｌ、７Ｇ（図１）に接続される。
【００１６】
イヤホン３は、ケーブル６の長さがディジタルラジオ放送の周波数帯域である周波数２００〔ＭＨｚ〕の１／２波長の長さ０．７５０〔ｍ〕に設定される。なおイヤホン３は、右チャンネル側のケーブルに比して左チャンネル側のケーブルが長くなるように形成され、右チャンネル側又は左チャンネル側のケーブルが０．７５０〔ｍ〕に設定される。
【００１７】
図４は、中継ケーブル２を詳細に示す側面図である。中継ケーブル２は、ケーブル１０の一端に、イヤホン３のプラグ７を接続する３ピンのジャック１１が設けられ、ケーブル１０の他端に、１０ピンのプラグ１２が設けられる。なおジャック１１及びプラグ１２は、樹脂によりモールディングされる。
【００１８】
ここで図５は、この中継ケーブル２のケーブル１０を示す斜視図である。ケーブル１０は、一定の距離Ｄだけ離間して第１及び第２のケーブル１０Ａ及び１０Ｂが平行に保持された平行線ケーブルである。このケーブル１０において第１のケーブル１０Ａは、３本の芯線ケーブルＬＬ、ＬＲ、ＬＧを縒り合わせて作成された多芯ケーブルである。これら３本の芯線ケーブルＬＬ、ＬＲ、ＬＧは、それぞれ左チャンネルオーディオ信号のホット側、右チャンネルオーディオ信号のホット側、左チャンネルオーディオ信号及び右チャンネルオーディオ信号のグランドに割り当てられる。第２のケーブル１０Ｂは、１本の芯線ケーブルＧにより作成され、グランドに割り当てられる。なお第２のケーブル１０Ｂにあっても、第１のケーブル１０Ａと同様に、多芯ケーブルとし、全ての芯線ケーブルをグランドに割り当てるようにしてもよい。
【００１９】
ケーブル１０は、長さがディジタルラジオ放送の周波数帯域である周波数２００〔ＭＨｚ〕の約１／４波長の長さ０．３７５〔ｍ〕に設定される。
【００２０】
図１は、この携帯電話システム１を示す接続図である。中継ケーブル２は、イヤホン３側端において、第１のケーブル１０Ａの３本の芯線ケーブルＬＬ、ＬＲ、ＬＧがそれぞれジャック１１の対応する端子１１Ｌ、１１Ｒ、１１Ｇに接続される。これに対して第２のケーブル１０Ｂの芯線ケーブルＧは、イヤホン３側端において、何れの部位にも接続されず、開放端とされる。
【００２１】
また中継ケーブル２は、プラグ１２の背面に配線基板１４が配置され、この配線基板１４を介してプラグ１２に接続される。中継ケーブル２は、この配線基板１４上において、コンデンサ１６、１７を介して第１のケーブル１０Ａに配置された３本の芯線ケーブルＬＬ、ＬＲ、ＬＧが相互に接続され、この携帯電話システム１が受信する放送波において、これら３本の芯線ケーブルＬＬ、ＬＲ、ＬＧが短絡状態に設定される。なおコンデンサ１６、１７は、この携帯電話システム１における受信周波数帯域において、十分に低インピーダンスであることが好ましく、ディジタルラジオ放送を受信する場合には、１０００〔ｐＦ〕程度が好ましい。
【００２２】
中継ケーブル２は、高周波遮断回路１８及び１９を介して、左チャンネルオーディオ信号のホット側及び右チャンネルオーディオ信号のホット側に割り当てられた芯線ケーブルＬＬ、ＬＲが携帯電話４に接続される。ここで高周波遮断回路１８及び１９は、芯線ケーブルＬＬ、ＬＲに誘起された高周波信号が、オーディオ信号の増幅回路等に進入しないようにする回路である。従って高周波遮断回路１８及び１９は、オーディオ信号に対しては十分にインピーダンスが低く、かつ周波数の増大によりインピーダンスの増大するインダクタンス素子等を適用することができ、この実施例ではチップインダクタにより構成される。高周波遮断回路１８及び１９は、進入の防止を目的とする高周波信号の周波数で１〔ｋΩ〕以上のインピーダンスを確保することが望ましい。
【００２３】
中継ケーブル２において、左チャンネルオーディオ信号及び右チャンネルオーディオ信号のグランドに割り当てられた芯線ケーブルＬＧ、及び第２のケーブル１０Ｂの芯線ケーブルＧは、配線基板１４、プラグ１２、ジャック１３を介して携帯電話４に接続される。
【００２４】
ここで携帯電話４は、第２のケーブル１０Ｂの芯線ケーブルＧを内部で接地する。携帯電話４は、オーディオ信号のグランドに割り当てられた芯線ケーブルＬＧを高周波遮断回路２０により接地し、これによりこのケーブルＬＧの直流電位をグランドレベルに設定する。携帯電話４は、コンデンサ２１を介して、この芯線ケーブルＬＧをチューナー２２のアンテナ入力端に接続する。
【００２５】
従って図６に示すように、この携帯電話システム１は、イヤホン３のケーブル６に第１のケーブル１０Ａを接続して形成される長さＨが３λ／４のアンテナＡＮＴがチューナー２２に接続され、このアンテナＡＮＴの根元側に、アンテナＡＮＴに沿って根元部分が接地された長さＨ１がλ／４である第２のケーブル１０Ｂが配置されることになる。
【００２６】
携帯電話４は、このチューナー２２から得られる右チャンネル及び左チャンネルのオーディオ信号ＳＡＲ及びＳＡＬをそれぞれ増幅回路２４Ｒ及び２４Ｌで増幅した後、切替回路２５を介して内蔵スピーカ２６に入力する。
【００２７】
また携帯電話４は、図示しない検出機構により中継ケーブル２の接続を検出し、中継ケーブル２が接続されると切替回路２５の動作を切り換え、内蔵スピーカ２６へのオーディオ信号ＳＡＲ及びＳＡＬの出力を中止すると共に、これらオーディオ信号ＳＡＲ及びＳＡＬを中継ケーブル２に出力する。
【００２８】
（２）実施例の動作
以上の構成において、この携帯電話システム１（図１及び図２）では、ユーザーの操作に応動してチューナー２２が動作を立ち上げ、このチューナー２２で受信したオーディオ信号ＳＡＬ及びＳＡＲが内蔵スピーカ２６から出力される。また中継ケーブル２が携帯電話４に接続されると、オーディオ信号ＳＡＬ及びＳＡＲが内蔵スピーカ２６に代えて中継ケーブル２に出力される。
【００２９】
携帯電話システム１では、中継ケーブル２の平行線ケーブル１０を構成する第１のケーブル１０Ａに設けられた芯線ケーブルＬＬ、ＬＲ、ＬＧにより、このオーディオ信号ＳＡＬ及びＳＡＲがイヤホン３に供給され、このオーディオ信号ＳＡＬ及びＳＡＲによりイヤホン３のスピーカ８Ｌ及び８Ｒが駆動される。携帯電話システム１では、これによりチューナー２２で受信した放送波の音声がイヤホン３によりユーザーに提供される。
【００３０】
携帯電話システム１では、このようにして中継ケーブル２を介してイヤホン３にオーディオ信号ＳＡＬ、ＳＡＲを伝送している状態で、中継ケーブル２のケーブル１０、イヤホン３のケーブル６に各種放送波の高周波信号が誘起されることになる。
【００３１】
ここで携帯電話システム１では、中継ケーブル２の第１のケーブルに設けられた芯線ケーブルＬＬ、ＬＲ、ＬＧとイヤホン３のケーブル６とがプラグ７及びジャック１１で接続されていることにより、これらケーブル６、ＬＬ、ＬＲ、ＬＧに誘起された高周波信号が携帯電話４に設けられたチューナー２２のアンテナ入力端に入力される。また中継ケーブル２に設けられた第２のケーブル１０Ｂの芯線ケーブルＧに誘起された高周波信号が、この第２のケーブル１０Ｂと平行に配置された第１のケーブル１０Ａの芯線ケーブルＬＬ、ＬＧ、ＬＢとの結合により、芯線ケーブルＬＬ、ＬＧ、ＬＢを介してチューナー２２のアンテナ入力端に入力される。
【００３２】
これによりこの実施例では、平行線ケーブルの第１及び第２のケーブル１０Ａ及び１０Ｂをそれぞれアンテナとして機能させることができる。ここで平行線ケーブルは、多芯同軸ケーブルに比して汎用性が高いと言える。従ってこの実施例では、従来に比して汎用性の高い、安価な部品を使用してイヤホンアンテナを構成することができる。
【００３３】
またこの実施例では、ケーブル６及び１０に誘起された高周波信号を直接チューナー２２のアンテナ入力端に入力していることにより、多芯同軸ケーブルを使用して高周波信号を伝送する場合に比してアンテナ利得の損失を低減することができる。
【００３４】
またさらに広い周波数帯域で十分なアンテナ利得を確保することができ、各種の周波数帯域で放送波を受信する受信装置に適用して、良好な特性を得ることができる。
【００３５】
すなわち図７（Ａ）は、この携帯電話システム１のアンテナの特性を示す特性曲線図であり、自由空間で測定した場合を示すものである。なおここで符号ＬＨ及びＬＶは、それぞれ垂直偏波及び水平偏波の特性である。また図７（Ｂ）及び（Ｃ）は、この垂直偏波及び水平偏波の特性を詳細に示す図表である。なおこの図７に示す特性は、図５において、長さＨ及びＨ１をそれぞれ１．４５〔ｍ〕及び０．１５０〔ｍ〕とし、何ら樹脂等を介在させることなく、間隔５〔ｍｍ〕（図５におけるＤ）により空間中に平行に第１及び第２のケーブル１０Ａ及び１０Ｂを配置した特性である。
【００３６】
これに対して図８（Ａ）〜（Ｃ）は、図７（Ａ）〜（Ｃ）との対比により、イヤホン３を人体に装着し、中継ケーブル２を人体に沿わせた場合におけるアンテナの特性を示す図である。この図８の特性は、図７の測定に使用したアンテナの測定結果である。この図７の特性によれば、ＶＨＦ帯域で十分に利得を確保できることが判る。また図８の特性によれば、人体に装着した場合でも、十分に使用に供する特性を確保できることが判る。
【００３７】
また図９（Ａ）〜（Ｃ）及び図１０（Ａ）〜（Ｃ）は、図７（Ａ）〜（Ｃ）との対比により、このアンテナのＵＨＦ帯域における特性を示す図である。図９は、自由空間で測定した特性であり、図１０は、人体に装着した場合の特性である。これら図９及び図１０によれば、広い周波数帯域で有効にアンテナとして機能し、十分な利得を確保できることが判る。
【００３８】
なお図１１及び図１２は、図７〜図１０との対比により、ＵＨＦ帯域用のロッドアンテナを用いた場合の、ＶＨＦ帯域及びＵＨＦ帯域における特性を示す図である。この場合、ＵＨＦ帯域では十分な利得を確保できるものの、ＶＨＦ帯域では、十分な利得を確保し得ず、一方の帯域のみでしか使用できないことが判る。この図１１及び図１２との対比によっても、この実施例によるイヤホンアンテナが広い周波数帯域で有効にアンテナとして機能し、十分な利得を確保できることが判る。
【００３９】
なお図１３は、図９との対比により、間隔Ｄを１〔ｍｍ〕とした場合の自由空間における特性を示す図である。この場合、図９の特性に比して、ほぼ全周波数帯域で利得が低下している。これは第１及び第２のケーブル１０Ａ及び１０Ｂ間の結合が密になり過ぎ、芯線ケーブルＬＬ、ＬＲ、ＬＧ側から第２のケーブル１０Ｂ側に高周波信号が漏出するためと考えられる。ここでケーブル１０は、平行線路であり、平行線路の結合に係る静電容量は、間隔Ｄ、導体径、導体を取り巻く誘電体の誘電率により変化する。従って間隔Ｄが小さくなった分、導体径、導体を取り巻く誘電体の誘電率を選定することにより導体間の結合を疎とし、間隔Ｄを小さくした場合でも、間隔Ｄが５〔ｍｍ〕の場合と同等の特性を確保することができると考えられる。なお平行線路の静電容量は、平行２線式フィーダーについて、各種の教科書等に記載されており、広く周知である。
【００４０】
（３）実施例の効果
以上の構成によれば、平行線ケーブルを構成する第１及び第２のケーブルの少なくとも第１のケーブルに複数の芯線ケーブルを設け、この複数の芯線ケーブルをオーディオ信号の伝送に割り当てると共に、本体装置に設けられたチューナーのアンテナ入力端に接続し、第２のケーブルのイヤホン側端を開放端とすると共に本体装置側端を接地することにより、汎用性の高い部品を使用可能とし、従来に比してアンテナ利得の損失を低減することができる。
【実施例２】
【００４１】
図１４は、図１との対比により、本発明の実施例２の携帯電話システムを示す接続図である。この携帯電話システム３１は、中継ケーブル２及び携帯電話４に代えて中継ケーブル３２及び携帯電話３４が設けられる点を除いて、実施例１の携帯電話システム１と同一に構成される。
【００４２】
ここで中継ケーブル３２は、ケーブル１０に代えてケーブル３３が適用される。ここでケーブル３３は、第１及び第２のケーブル３３Ａ及び３３Ｂによる平行線ケーブルである。第１のケーブル３３Ａは、２本の芯線ケーブルＬＬ、ＬＲを有する多芯ケーブルであり、２本の芯線ケーブルＬＬ、ＬＧが、左チャンネルオーディオ信号のホット側、右チャンネルオーディオ信号のホット側に割り当てられる。第２のケーブル３３Ｂは、ケーブル１０と同様に１本の芯線ケーブルＧを有し、この１本の芯線ケーブルＧが、左チャンネルオーディオ信号及び右チャンネルオーディオ信号のグランドを兼用する。
【００４３】
このため芯線ケーブルＧは、ジャック１１の根元に配置された高周波遮断回路３５を介してジャック１１の対応する端子１１Ｇに接続され、携帯電話３４内にて他端側が接地される。なお中継ケーブル３３のイヤホン３側端は、図１５に示すように、３ピンのジャック１１を実装した配線基板３９に、フェライトビーズ３７を巻回したケーブルＧ、芯線ケーブルＬＬ、ＬＲを接続し、全体をケース３８に収納して作成される。高周波遮断回路３５は、このフェライトビーズ３７により形成される。従ってこの実施例において、第２のケーブル３３Ｂは、高周波遮断回路３５により高周波的にイヤホン３側端が開放端とされる。
【００４４】
芯線ケーブルＬＲ及びＬＬは、配線基板１４上で、コンデンサ１６により接続される。芯線ケーブルＬＬは、高周波遮断回路１８を介してプラグ１２に接続され、携帯電話３４内で切替回路２５に接続される。これに対して芯線ケーブルＬＲは、携帯電話３４内で、高周波遮断回路３６を介して切替回路２５に接続され、またコンデンサ２１を介してチューナー２２のアンテナ入力端に接続される。なお高周波遮断回路３６には、チップインダクタが適用される。
【００４５】
これによりこの実施例では、平行線ケーブルを構成する第１及び第２のケーブル１０Ａ及び１０Ｂでオーディオ信号の伝送を分担して、中継ケーブルの構成を簡略化し、実施例１と同様の効果を得ることができる。
【実施例３】
【００４６】
図１６は、図１との対比により、本発明の実施例３の携帯電話システムに適用される中継ケーブルを示す接続図である。この実施例の携帯電話システムは、地上波ディジタル放送を受信する。従ってこの実施例の携帯電話システムは、中継ケーブル２に代えてこの図１６に示す中継ケーブル４２が適用され、また携帯電話には地上波ディジタル放送を受信するチューナーが設けられる。これらの点を除いて、この実施例の携帯電話システムは、図１の携帯電話システム１と同一に構成される。
【００４７】
ここで地上波ディジタル放送は、４７０〜７７０〔ＭＨｚ〕のＵＨＦ帯域で放送される。この地上波ディジタル放送の帯域内である周波数５００〔ＭＨｚ〕において、１波長は０．６〔ｍ〕であり、図５のＨ及びＨ１は、それぞれ０．１５〔ｍ〕及び０．４５〔ｍ〕となる。
【００４８】
そこでこの実施例では、オーディオ信号の伝送に供する芯線ケーブルＬＬ、ＬＲ、ＬＧのイヤホン３側端に高周波遮断回路４４、４５、４６が設けられる。中継ケーブル４２は、このケーブルＬＬ、ＬＲ、ＬＧによるアンテナの電気長がこの高周波遮断回路４４、４５、４６により制限され、長さＨが０．１５〔ｍ〕に設定される。なお高周波遮断回路４４、４５、４６は、実施例２について上述したと同様に、ジャック１１を実装する配線基板に配置したフェライトビーズにより、又はチップインダクタを配置して構成される。
【００４９】
中継ケーブル４３は、プラグ１２から長さ０．４５〔ｍ〕の位置で、第２のケーブル１０Ｂが途絶えるように設定される。なおこの第２のケーブル１０Ｂは、第２のケーブル１０Ａと共に、第２のケーブル１０Ｂのイヤホン３側端を樹脂によりモールディングして線材を保護する。
【００５０】
この実施例のように、中継ケーブルの端部に高周波遮断回路を配置し、さらには第２のケーブルを途中で途絶えさせるようにして、アンテナの電気長を所望の長さに設定するようにしても、実施例１と同様の効果を得ることができる。
【実施例４】
【００５１】
図１７は、図１との対比により、本発明の実施例４の携帯電話システムに適用される中継ケーブル及び携帯電話を示す接続図である。この実施例の携帯電話システムは、中継ケーブル５２に設けられたリモコンユニット５３を用いて、ハンズフリーにより通話可能に、また携帯電話５４を遠隔操作可能に構成される。
【００５２】
ここで中継ケーブル５２は、第１及び第２のケーブル５５Ａ及び５５Ｂによる平行線ケーブル５５を有し、この平行線ケーブル５５の両端にそれぞれプラグ１２、リモコンユニット５３が設けられる。
【００５３】
ここで図１８に示すように、ケーブル５５の第１のケーブル５５Ａは、４本の芯線ケーブルＬＬ、ＬＲ、ＬＭ、ＬＳＷによる多芯ケーブルであり、芯線ケーブルＬＬ、ＬＲがそれぞれ左チャンネルオーディオ信号ＳＡＬ及び右チャンネルオーディオ信号ＳＡＲのホット側に割り当てられる。また芯線ケーブルＬＭが、後述するマイク５６で取得した音声信号伝送用のホット側に割り当てられ、芯線ケーブルＬＳＷがリモコン操作用に割り当てられる。これに対して第２のケーブル５５Ｂは、１本の芯線ケーブルＧにより形成される。
【００５４】
リモコンユニット５３は、マイク５６、ジャック１１、リモコン操作用のスイッチ５７等を実装した配線基板に、ケーブル５５を接続した後、ケースに収納して作成される。
【００５５】
ここでマイク５６は、ハンズフリーシステムに係るユーザーの音声を取得して音声信号を出力する。マイク５６は、出力端子間に保護用のバリスタ５８が設けられる。マイク５６は、芯線ケーブルＬＭを介して一端がプラグ１２の第２の端子に接続され、高周波遮断回路５９、第２のケーブル５５Ｂの芯線ケーブルＧを順次介して、他端がプラグ１２の第１０の端子に接続される。これに対応して携帯電話５４は、ジャック１３の第１０の端子が接地される。さらに携帯電話５４は、ジャック１３の第２の端子を介してマイク５６で取得した音声信号を入力し、高周波遮断回路６０を介してこの音声信号を図示しない音声信号処理回路に入力する。携帯電話５４は、この音声信号処理回路により音声信号を処理して通話対象に送出する。
【００５６】
スイッチ５７は、マイク５６のコールド側に一端が接続され、リモコン操作用の芯線ケーブルＬＳＷを介して他端がプラグ１２の第８の端子に接続される。これに対応して携帯電話５４は、高周波遮断回路６２を介してジャック１３の第８の端子がコントローラ６３に接続され、このコントローラ６３でスイッチ５７のオンオフ操作を検出する。コントローラ６３は、このオンオフ操作の検出結果に基づいて各部の動作を制御し、これによりこの携帯電話システムは、スイッチ５７のオンオフ操作により遠隔制御可能に構成される。
【００５７】
ジャック１１は、それぞれ右チャンネルオーディオ信号ＳＡＲ及び左チャンネルオーディオ信号ＳＡＬのホット側に割り当てられた芯線ケーブルＬＲ、ＬＬを介して、端子１１Ｒ及び１１Ｌがプラグ１２の第４及び第５の端子に接続される。また芯線ケーブルＬＲ、ＬＬは、プラグ１２側端がコンデンサ６６により接続される。またジャック１１は、端子１１Ｇが、マイク５６のコールド側に接続される。これに対応して携帯電話５４は、実施例１等について上述した切替回路２５から出力されるオーディオ信号ＳＡＲ及びＳＡＬが、高周波遮断回路６４、６５を介してジャック１３の第４及び第５の端子に出力される。
【００５８】
中継ケーブル５２は、芯線ケーブルＬＲが、コンデンサ６７を介してプラグ１２の第１の端子に接続され、携帯電話５４は、対応するジャック１３の第１の端子がコンデンサ６９を介してチューナー７０のアンテナ入力端に接続される。ここで上述したように、第２のケーブル５５Ｂは、イヤホン側に設けられた高周波遮断回路５９により電気長が制限され、携帯電話５４側端が接地されている。
【００５９】
これによりこの携帯電話システムでも、上述の実施例２と同様にして中継ケーブル５２、イヤホン３のケーブルをアンテナとして機能させて、実施例２と同様の効果を得ることができる。
【００６０】
なおこの図１７の例において、プラグ１２の第１０の端子は、配線基板１４上で、プラグ１２の第３及び第６の端子に接続される。携帯電話５４は、対応するジャック１３の第３及び第６の端子がコンデンサ７１、７２によりそれぞれ接地され、また高周波遮断回路７３、７４を介してコントローラ６３に接続される。携帯電話５４は、これによりコントローラ６３でジャック１３の第３及び第６の端子の電位を判定し、中継ケーブル５２の接続、中継ケーブル５２がステレオ対応のものか否かを判定し、判定結果に基づいて各部の動作を制御する。
【００６１】
この実施例によれば、マイク、スイッチ等をイヤホン側に設ける場合にあっても、上述の実施例２と同様に中継ケーブル等を構成して、実施例２と同様の効果を得ることができる。
【実施例５】
【００６２】
図１９は、図１７との対比により、本発明の実施例５の携帯電話システムに適用される中継ケーブル及び携帯電話を示す接続図である。この実施例の携帯電話システムは、中継ケーブル８２、携帯電話８４の構成が異なる点を除いて、上述の実施例の携帯電話システムと同一に構成される。
【００６３】
ここで中継ケーブル８２は、第１及び第２のケーブル８５Ａ及び８５Ｂによる平行線ケーブル８５を有し、この平行線ケーブルの両端にそれぞれプラグ１２、リモコンユニット８３が設けられる。
【００６４】
第１のケーブル８５Ａは、５本の芯線ケーブルＬＬ、ＬＲ、ＬＭ、ＬＳＷ、ＬＧによる多芯ケーブルであり、芯線ケーブルＬＬ、ＬＲがそれぞれ左チャンネルオーディオ信号ＳＡＬ及び右チャンネルオーディオ信号ＳＡＲのホット側に割り当てられる。また芯線ケーブルＬＭが、音声信号伝送用のホット側に割り当てられ、芯線ケーブルＬＳＷがリモコン操作用に割り当てられる。また芯線ケーブルＬＧがグランドに割り当てられる。これに対して第２のケーブル８５Ｂは、１本の芯線ケーブルＧにより形成される。
【００６５】
リモコンユニット８３は、芯線ケーブルＬＧを介してジャック１１の端子１１Ｇがプラグ１２の第１の端子に接続される点を除いて、実施例４について上述したリモコンユニット５３と同一に構成される。またこれに対応して携帯電話５４は、対応するジャック１３の第１の端子１１Ｇが高周波遮断回路８６を介して接地され、芯線ケーブルＧが直流的に接地された状態でチューナー７０のアンテナ入力端に芯線ケーブルＧが接続される点を除いて、実施例４について上述した携帯電話５４と同一に構成される。
【００６６】
この実施例によれば、マイク、スイッチ等をイヤホン側に設ける場合にあっても、上述の実施例１と同様に中継ケーブル等を構成して、実施例１と同様の効果を得ることができる。
【実施例６】
【００６７】
図２０は、図１７との対比により、本発明の実施例６の携帯電話システムに適用される中継ケーブル及び携帯電話を示す接続図である。この実施例の携帯電話システムは、中継ケーブル９２の構成が異なる点を除いて、上述の実施例５の携帯電話システムと同一に構成される。
【００６８】
ここで中継ケーブル９２は、第１及び第２のケーブル９５Ａ及び９５Ｂによる平行線ケーブル９５を有し、この平行線ケーブルの両端にそれぞれプラグ１２、リモコンユニット８３が設けられる。
【００６９】
第１のケーブル９５Ａは、上述の実施例５の携帯電話システムに適用された第１のケーブル８５Ａと同一に構成される。これに対して第２のケーブル９５Ｂは、１本の芯線ケーブルＧにより形成され、リモコンユニット８３に至る途中で途絶えるように形成される。
【００７０】
これに対応して中継ケーブル９２は、マイク５６のコールド側が高周波遮断回路９７を介して芯線ケーブルＬＧに接続される点を除いて、上述の実施例５の携帯電話システムと同一に構成される。
【００７１】
この実施例によれば、マイク、スイッチ等をイヤホン側に設ける場合にあっても、上述の実施例３と同様に中継ケーブル等を構成して、実施例３と同様の効果を得ることができる。
【実施例７】
【００７２】
なお上述の実施例においては、ディジタルラジオ放送等を受信する場合について述べたが、本発明はこれに限らず、各種放送波を受信する場合に広く適用することができる。
【００７３】
また上述の実施例においては、コネクタを使用して着脱可能に中継ケーブルを接続し、さらにはイヤホンを接続する場合について述べたが、本発明はこれに限らず、いわゆる作り付けにより着脱困難に中継ケーブル及び又はイヤホンを接続する場合にも広く適用することができる。
【００７４】
また上述の実施例においては、イヤホンのケーブルをアンテナとして使用する場合について述べたが、本発明はこれに限らず、信号伝送用のケーブルを介して各種の外部機器にオーディオ信号、ビデオ信号等の各種信号を伝送する場合、さらには電源伝送用のケーブルを介して外部機器との間で電源を伝送する場合等に広く適用することができる。
【００７５】
また上述の実施例においては、本発明を携帯電話システムに適用する場合について述べたが、本発明はこれに限らず、放送波の受信機能を備えた携帯音楽プレイヤー等、種々の受信装置に広く適用することができる。
【産業上の利用可能性】
【００７６】
本発明は、例えばディジタルラジオ放送を受信可能な携帯電話に適用することができる。
【図面の簡単な説明】
【００７７】
【図１】本発明の実施例１の携帯電話システムを示す接続図である。
【図２】本発明の実施例１の携帯電話システムを示す斜視図である。
【図３】図２の携帯電話システムのイヤホンを詳細に示す側面図である。
【図４】図２の携帯電話システムの中継ケーブルを詳細に示す側面図である。
【図５】図４の中継ケーブルのケーブルを示す斜視図である。
【図６】図１の携帯電話システムのアンテナの説明に供する接続図である。
【図７】図１の携帯電話システムのアンテナの自由空間における特性を示す図である。
【図８】図１の携帯電話システムのアンテナの使用時における特性を示す図である。
【図９】図１の携帯電話システムのアンテナの自由空間におけるＵＨＦ帯域の特性を示す図である。
【図１０】図１の携帯電話システムのアンテナの使用時におけるＵＨＦ帯域の特性を示す図である。
【図１１】ＵＨＦ帯域用のロッドアンテナを用いたＶＨＦ帯域における特性を示す図である。
【図１２】ＵＨＦ帯域用のロッドアンテナを用いたＵＨＦ帯域における特性を示す図である。
【図１３】間隔Ｄを１〔ｍｍ〕とした場合の自由空間における特性を示す図である。
【図１４】本発明の実施例２の携帯電話システムを示す接続図である。
【図１５】図１４の携帯電話システムの中継ケーブルを示す側面図である。
【図１６】本発明の実施例３の携帯電話システムに適用される中継ケーブルを示す接続図である。
【図１７】本発明の実施例４の携帯電話システムに適用される中継ケーブル及び携帯電話を示す接続図である。
【図１８】図１７の携帯電話システムの中継ケーブルの説明に供する斜視図である。
【図１９】本発明の実施例５の携帯電話システムに適用される中継ケーブル及び携帯電話を示す接続図である。
【図２０】本発明の実施例６の携帯電話システムに適用される中継ケーブル及び携帯電話を示す接続図である。
【符号の説明】
【００７８】
１、３１……携帯電話システム、２、３２、４２、５２、８２、９２……中継ケーブル、３……イヤホン、４、３４、５４、８４……携帯電話、６、１０、１０Ａ、１０Ｂ、３３、３３Ａ、３３Ｂ、５５、５５Ａ、５５Ｂ、８５、８５Ａ、８５Ｂ、９５、９５Ａ、９５Ｂ……ケーブル、７、１２……プラグ、８Ｌ、８Ｒ……スピーカ、１１、１３……ジャック、１６、１７、２１、６６、６７、６９、７１、７２……コンデンサ、１８、１９、２０、３５、３６、４４、４５、４６、５９、６０、６４、６５、７３、７４、８６、９７……高周波遮断回路、２２、７０……チューナー、５３、８３……リモコンユニット、ＬＬ、ＬＲ、ＬＧ、ＬＭ、ＬＳＷ、Ｇ……芯線ケーブル
【図１】
2010028254.tif 000003
【図２】
2010028254.tif 000004
【図３】
2010028254.tif 000005
【図４】
2010028254.tif 000006
【図５】
2010028254.tif 000007
【図６】
2010028254.tif 000008
【図７】
2010028254.tif 000009
【図８】
2010028254.tif 000010
【図９】
2010028254.tif 000011
【図１０】
2010028254.tif 000012
【図１１】
2010028254.tif 000013
【図１２】
2010028254.tif 000014
【図１３】
2010028254.tif 000015
【図１４】
2010028254.tif 000016
【図１５】
2010028254.tif 000017
【図１６】
2010028254.tif 000018
【図１７】
2010028254.tif 000019
【図１８】
2010028254.tif 000020
【図１９】
2010028254.tif 000021
【図２０】
2010028254.tif 000022